(57)【要約】【課題】サーバー装置を給湯器本体または給湯器を遠隔操作するリモコンに備えることで、前記サーバー装置と接続された外部ネットワーク以外に、接続された他の家庭用の電気機器と双方向の情報のやり取りもできること。【解決手段】サーバー装置２と、給湯器本体１に備えられたインターフェイス４とを有線、または無線で接続することにより、サーバー装置２に接続された外部ネットワーク５または他の電気機器から受け取った情報を、給湯器本体１を遠隔操作するリモコン３の表示部６または音声報知部７に表示／報知するものである。【選択図】図１
2007170766.tif 000002
【特許請求の範囲】
【請求項１】
サーバー装置を給湯器本体または前記給湯器本体を遠隔操作するリモコンに備え、前記サーバー装置に接続された外部情報提供システムから受け取った情報を、前記リモコンの表示部に表示または音声報知部に報知することが可能な給湯器システム。
【請求項２】
サーバー装置を給湯器本体、または前記給湯器本体を遠隔操作するリモコンに備え、前記サーバー装置に接続された外部情報受付システムへ前記給湯器本体の情報を送信することが可能な給湯器システム。
【請求項３】
サーバー装置を給湯器本体、または前記給湯器本体を遠隔操作するリモコンに備え、前記サーバー装置に接続された他の電気機器の情報を、前記リモコンの表示部に表示または音声報知部に報知することが可能な給湯器システム。
【請求項４】
サーバー装置を給湯器本体、または前記給湯器本体を遠隔操作するリモコンに備え、前記サーバー装置に接続された他の電気機器へ前記給湯器本体の情報を送信することが可能な給湯器システム。
【発明の詳細な説明】
【技術分野】
【０００１】
本発明はサーバー装置を給湯器本体または給湯器本体を遠隔操作するリモコンに備え、外部情報提供システムまたは他の家庭内の電気機器と情報のやり取りが可能な給湯器システムに関するものである。
【背景技術】
【０００２】
従来、この種の給湯器システムは給湯器本体を外部のネットワークと直接接続し、情報を受け取るのみであった（例えば、特許文献１参照）。
【０００３】
図９は、特許文献１に記載された従来の給湯器システムを示すものである。図９に示すように、給湯器本体１とこれを遠隔操作するリモコン３と外部のネットワーク５から構成されている。図中、４はインターフェイスで、６は表示部で、７は報知部である。
【特許文献１】特開２００１−２７２１０４号公報
【発明の開示】
【発明が解決しようとする課題】
【０００４】
しかしながら、前記従来の構成では、給湯器システムと外部のネットワーク５とを直接接続させるため他の電気機器との情報共有ができなかった、また、外部からの情報が一方通行（受信のみ）という課題を有していた。
【０００５】
前記従来の課題に鑑み、本発明が解決しようとする課題は、外部ネットワーク以外に、接続された他の電気機器と双方向の情報のやり取りもできる給湯システムを提供することにある。
【課題を解決するための手段】
【０００６】
前記課題を解決するために、本発明の給湯器システムは、サーバー装置を給湯器本体または前記給湯器本体を遠隔操作するリモコンに備え、外部ネットワークまたは他の電気機器と情報の送受信を可能にしたもので、前記給湯器本体、他の電気機器との情報の共有が可能になり、給湯器の使い勝手を向上できる。
【発明の効果】
【０００７】
本発明の給湯器システムは、外部ネットワークまたは他の電気機器と情報のやり取りができ、給湯器の使い勝手を向上できる。
【発明を実施するための最良の形態】
【０００８】
第１の発明は、サーバー装置を給湯器本体または前記給湯器本体を遠隔操作するリモコンに備え、前記サーバー装置に接続された外部情報提供システムから受け取った情報を、前記リモコンの表示部に表示または音声報知部に報知することが可能な給湯器システムである。これにより、外部情報を入手するためリモコン３操作すると、外部情報提供システムから外部情報を前記サーバー装置が入手し、この外部情報を給湯器本体のリモコンの表示部に表示または音声報知部に報知することが可能となる。
【０００９】
第２の発明は、サーバー装置を給湯器本体、または前記給湯器本体を遠隔操作するリモコンに備え、前記サーバー装置に接続された外部情報受付システムへ前記給湯器本体の情報を送信することが可能な給湯器システムである。これにより、給湯器本体の情報を送信するためリモコンを操作すると、給湯器本体の情報をサーバー装置から外部情報受付システムに送信し登録できる。
【００１０】
第３の発明は、サーバー装置を給湯器本体、または前記給湯器本体を遠隔操作するリモコンに備え、前記サーバー装置に接続された他の電気機器の情報を、前記リモコンの表示部に表示または音声報知部に報知することが可能な給湯器システムである。これにより、リモコンを操作すると、電気機器から情報をサーバー装置が入手し、この情報を給湯器本体のリモコンの表示部に表示または音声報知部に報知することが可能となる。
【００１１】
第４の発明は、サーバー装置を給湯器本体、または前記給湯器本体を遠隔操作するリモコンに備え、前記サーバー装置に接続された他の電気機器へ前記給湯器本体の情報を送信することが可能な給湯器システムである。これにより、リモコンを操作すると、給湯器本体の情報をサーバー装置が入手し、この情報を電気機器９に送信して表示または報知することが可能となる。
【００１２】
以下、本発明の実施の形態について、図面を参照しながら説明する。なお、この実施の形態によって本発明が限定されるものではない。また、本実施の形態の説明において、同一構成で同一作用効果を奏するところには同一符号を付して重複した説明を行わないものとする。
【００１３】
（実施の形態１）
図１は、本発明の第１の実施の形態における給湯器システムの構成図である。図１において、住宅Ａに設置された給湯器本体１は、給湯のための運転機能を備えているとともに、リモコン３との間で運転停止及びその他の信号のやり取りをする送受信機能を備えている。また給湯器本体１は、サーバー装置２と、給湯器本体１を遠隔操作する遠隔操作器であるリモコン３、サーバー装置２と有線、または無線で接続されたインターフェイス４を備えた構成となっている。そして、サーバー装置２はネットワークを介して外部情報提供システム５と接続されている。外部情報提供システム５は、情報として例えば給湯器本体１に関する使用者への取り扱い説明、アフターサービス者への故障の状態、その点検箇所と修理方法が登録されている。
【００１４】
リモコン３は、インターフェイス４を介して給湯器本体１との間で有線または無線で情報の送受信が可能なように構成され、そして、サーバー装置２がネットワークを介して外部情報提供システム５から受け取った情報を表示する表示部６、または前記情報を報知する音声報知部７を有する。また、リモコン３は、外部情報提供システム５から情報を入手するための指示をする入力機能も備えている。図中の実線矢印は、信号を含む情報のやり取り経路を示す。
【００１５】
以上のように構成された給湯器システムについて、以下その動作、作用を説明する。給湯器本体１において、外部情報を入手するためリモコン３を操作すると、サーバー装置２とインターフェイス４とが接続されているので、外部情報提供システム５から外部情報を前記サーバー装置２が入手する。そして、外部情報提供システム５から受け取った外部情報を前記給湯器本体１のリモコン３の表示部６に表示または音声報知部７に報知することが可能となる。
【００１６】
従って、使用者が給湯器本体１の取り扱い方を、リモコン３を使用して外部情報提供システム５から取り込んで表示部６に表示して知ることができる。また、給湯器本体１が故障した時には、アフターサービス者が外部情報提供システム５から故障時の状態、その点検箇所と修理方法等の情報を表示部６に表示して知ることができ、迅速かつ適切な対応ができることになる。
【００１７】
（実施の形態２）
図２は、本発明の第２の実施の形態における給湯器システムの構成図である。本実施の形態は、実施の形態１で説明したサーバー装置２とインターフェイス４をリモコン３に設けた点で実施の形態１の発明と異なり、それ以外の同一構成及び作用効果を奏する部分には図１と同じ符号を付して詳細な説明を省略し、異なるところを中心に説明する。
【００１８】
図２において、給湯器本体１は、給湯のための運転機能を備えているとともに、リモコン３との間で運転停止及びその他の信号のやり取りをする送受信機能を備えている。リモコン３は、実施の形態１で説明したように表示部６または音声報知部７を設けている以外に、実施の形態１で説明したサーバー装置２とインターフェイス４を設けている。
すなわち、サーバー装置２はネットワークを介して外部情報提供システム５と接続されている。インターフェイス４は、サーバー装置２と有線または無線で接続されている。表示部６は、サーバー装置２が外部情報提供システム５から受け取った情報を表示する。また、音声報知部７はサーバー装置２が外部情報提供システム５から受け取った情報を報知する。
【００１９】
また、リモコン３は、外部情報提供システム５から情報を入手するための指示をする入力機能も備えている。外部情報提供システム５は、情報として例えば給湯器本体１に関する使用者への取り扱い説明、アフターサービス者への故障の状態、その点検箇所と修理方法が登録されている。図中の実線矢印は、信号を含む情報のやり取り経路を示す。
【００２０】
以上のように構成された給湯器システムについて、以下その動作、作用を説明する。給湯器本体１において、外部情報を入手するためリモコン３を操作すると、サーバー装置２とインターフェイス４とが接続されているので、外部情報提供システム５から外部情報を前記サーバー装置２が入手する。そして、外部情報提供システム５から受け取った外部情報を給湯器本体１のリモコン３の表示部６に表示または音声報知部７に報知することが可能となる。
【００２１】
従って、使用者が給湯器本体１の取り扱い方を、リモコン３を使用して外部情報提供システム５から取り込んで表示部６に表示して知ることができる。また、給湯器本体１が故障した時には、アフターサービス者が外部情報提供システム５から故障時の状態、その点検箇所と修理方法等の情報を表示部６に表示して知ることができ、迅速かつ適切な対応ができることになる。
【００２２】
（実施の形態３）
図３は、本発明の第３の実施の形態における給湯器システムの構成図である。本実施の形態は、実施の形態１の発明におけるサーバー装置２がネットワークを介して外部情報提供システム５に接続するのに代えて、外部情報受付システム８に接続する構成にした点で実施の形態１の発明と異なり、それ以外の同一構成及び作用効果を奏する部分には図１と同じ符号を付して詳細な説明を省略し、異なるところを中心に説明する。
【００２３】
図３において、給湯器本体１に設けたサーバー装置２は、ネットワークを介して外部情報受付システム８に接続する構成にしている。従って、サーバー装置２は、給湯器本体１の情報（例えば、故障、修理等の情報）を、その都度、リモコン３を通じて外部情報受付システム８に送信する。リモコン３は、外部情報受付システム８へ給湯器本体１の情報（例えば、故障、修理等の情報）を送信するための指示をする入力機能を備えている。図中の実線矢印は、信号を含む情報のやり取り経路を示す。
【００２４】
以上のように構成された給湯器システムについて、以下その動作、作用を説明する。給湯器本体１において、給湯器本体１の情報を送信するためリモコン３を操作すると、サーバー装置２とインターフェイス４とが接続されているので、給湯器本体１の情報をサーバ
ー装置２から外部情報受付システム８に送信し登録できる。
【００２５】
従って、外部情報受付システム８には、ネットワークを介して接続されている給湯器本体の多くの物からのデータが集まるので、このデータを活用して給湯器本体１の品質向上、または商品改良の資料としても活用可能になる。
【００２６】
（実施の形態４）
図４は、本発明の第４の実施の形態における給湯器システムの構成図である。本実施の形態は、実施の形態１の発明におけるサーバー装置２がネットワークを介して外部情報提供システム５にのみ接続しているが、さらに住宅Ａ内に設置されている他の電気機器９とも有線または無線で接続され、電気機器９から情報を取り込めるようにしてある点で実施の形態１の発明と異なり、それ以外の同一構成及び作用効果を奏する部分には図１と同じ符号を付して詳細な説明を省略し、異なるところを中心に説明する。
【００２７】
図４において、給湯器本体１のサーバー装置２は、ネットワークを介して外部情報提供システム５に接続して給湯器本体１に関する情報を送信、または取り込めるようにしている以外に、住宅Ａ内に設置されている他の電気機器（例えば、テレビ受像機、ラジオ受信機等）９とも有線または無線で情報のやり取りができるように接続され、画像及び音声の情報を取り込めるようにしている。
リモコン３は、外部情報提供システム５から給湯器本体１に関する情報を取り込む、または送信するための指示をする入力機能以外に、電気機器９から画像及び音声の情報も入手するための指示をする入力機能も備えている。
【００２８】
表示部６はサーバー装置２が電気機器９から取り込んだ画像の情報を表示し、または音声報知部７はサーバー装置２が電気機器９から取り込んだ音声の情報を報知する。図中の実線矢印は、信号を含む情報のやり取り経路を示す。
【００２９】
以上のように構成された給湯器システムについて、以下その動作、作用を説明する。給湯器本体１において、外部情報提供システム５らの外部情報の入手は、実施の形態１の発明で説明したと同じようにして行なわれる。
【００３０】
そして、電気機器９からの情報の入手おいては、リモコン３を操作すると、サーバー装置２とインターフェイス４とが接続されているので、電気機器９から情報をサーバー装置２が入手する。そして、電気機器９から受け取った情報を給湯器本体１のリモコン３の表示部６に表示または音声報知部７に報知することが可能となる。
【００３１】
従って、例えば電気機器９がテレビ受像機である場合には、浴室に設置したリモコン３の表示部６に画像を表示し、入浴しながら観賞することが可能になる。もちろん、電気機器９がラジオ受信機である場合には音声報知部７から音楽を報知し、リラックスして入浴することが可能になる。
【００３２】
（実施の形態５）
図５は、本発明の第５の実施の形態における給湯器システムの構成図である。本実施の形態は、実施の形態４の発明におけるサーバー装置２がネットワークを介して外部情報提供システム５に接続するとともに、住宅Ａ内に設置されている電気機器９とも有線または無線で接続され、給湯器本体の情報を電気機器９に送信して表示または報知できるようにした点で実施の形態４の発明と異なり、それ以外の同一構成及び作用効果を奏する部分には図４と同じ符号を付して詳細な説明を省略し、異なるところを中心に説明する。
【００３３】
図５において、給湯器本体１のサーバー装置２は、ネットワークを介して外部情報提供
システム５に接続するとともに、住宅Ａ内に設置されている電気機器９とも有線または無線で接続され、給湯器本体１の情報を電気機器９に送信して表示または報知できるようにしている。
【００３４】
リモコン３は、外部情報提供システム５に情報を送信または入手するための指示をする入力機能以外に、電気機器９に給湯器本体１の情報を送信するための指示をする入力機能も備えている。図中の実線矢印は、信号を含む情報のやり取り経路を示す。
【００３５】
以上のように構成された給湯器システムについて、以下その動作、作用を説明する。給湯器本体１において、外部情報提供システム５らの外部情報の入手は、実施の形態１の発明で説明したと同じようにして行なわれる。
【００３６】
そして、電気機器９への給湯器本体１の情報の入手おいては、リモコン３を操作すると、サーバー装置２とインターフェイス４とが接続されているので、給湯器本体１の情報をサーバー装置２が入手する。そして、サーバー装置２が給湯器本体１の情報を電気機器９に送信して表示または報知することが可能となる。
【００３７】
従って、例えば電気機器９がテレビ受像機である場合には、モニターに給湯器本体１の情報を表示、または報知する。もちろん、リモコン３に監視カメラが設けてあって浴室の状況（介護が必要な人の入浴状況）を画像として電気機器９に送信して入浴者を安全に介護することも可能になる。
【００３８】
（実施の形態６）
図６は、本発明の第６の実施の形態における給湯器システムの構成図である。本実施の形態は、実施の形態３で説明した給湯器本体１のサーバー装置２とインターフェイス４を、リモコン３に設けた点で実施の形態３の発明と異なり、それ以外の同一構成及び作用効果を奏する部分には図３と同じ符号を付して詳細な説明を省略し、異なるところを中心に説明する。
【００３９】
図６において、給湯器本体１のサーバー装置２は、外部情報受付システム８にネットワークを介して接続可能に構成され、給湯器本体１の情報を送信して外部情報受付システム８に登録する。従って、サーバー装置２は、給湯器本体１の情報（例えば、故障、修理等の情報）を、その都度、リモコン３を通じて外部情報受付システム８に送信する。リモコン３は、外部情報受付システム８へ給湯器本体１の情報（例えば、故障、修理等の情報）を送信するための指示をする入力機能を備えている。図中の実線矢印は、信号を含む情報のやり取り経路を示す。
【００４０】
以上のように構成された給湯器システムについて、以下その動作、作用を説明する。給湯器本体１において、給湯器本体１の情報を送信するためリモコン３を操作すると、サーバー装置２とインターフェイス４とが接続されているので、給湯器本体１の情報をサーバー装置２から外部情報受付システム８に送信し登録できる。
【００４１】
従って、外部情報受付システム８には、ネットワークを介して接続されている給湯器本体の多くの物からのデータが集まるので、このデータを活用して給湯器本体１の品質向上、または商品改良の資料としても活用可能になる。
【００４２】
（実施の形態７）
図７は、本発明の第７の実施の形態における給湯器システムの構成図である。本実施の形態は、実施の形態４で説明した給湯器本体１のサーバー装置２とインターフェイス４を、リモコン３に設けた点で実施の形態４の発明と異なり、それ以外の同一構成及び作用効
果を奏する部分には図４と同じ符号を付して詳細な説明を省略し、異なるところを中心に説明する。
【００４３】
図７において、給湯器本体１は、給湯のための運転機能を備えているとともに、リモコン３との間で運転停止及びその他の信号のやり取りをする送受信機能を備えている。リモコン３は、実施の形態４で説明した表示部６または音声報知部７を設けている以外に、実施の形態４で説明したサーバー装置２とインターフェイス４を設けている。
【００４４】
すなわち、サーバー装置２は、ネットワークを介して外部情報提供システム５に接続して給湯器本体１に関する情報を送信、または取り込めるようにしている以外に、住宅Ａ内に設置されている他の電気機器（例えば、テレビ受像機、ラジオ受信機等）９とも有線または無線で情報のやり取りができるように接続され、画像及び音声の情報を取り込めるようにしている。
【００４５】
また、リモコン３は外部情報提供システム５から給湯器本体１に関する情報を取り込む、または送信するための指示をする入力機能以外に、電気機器９から画像及び音声の情報も入手するための指示をする入力機能も備えている。インターフェイス４は、サーバー装置２と有線または無線で接続されている。表示部６は、サーバー装置２が外部情報提供システム５から受け取った情報を表示する。また、音声報知部７はサーバー装置２が外部情報提供システム５から受け取った情報を報知する。
【００４６】
外部情報提供システム５は、情報として例えば給湯器本体１に関する使用者への取り扱い説明、アフターサービス者への故障の状態、その点検箇所と修理方法が登録されている。図中の実線矢印は、信号を含む情報のやり取り経路を示す。
【００４７】
以上のように構成された給湯器システムについて、以下その動作、作用を説明する。給湯器本体１において、外部情報提供システム５らの外部情報の入手は、実施の形態４の発明で説明したと同じようにして行なわれる。
【００４８】
そして、電気機器９からの情報の入手おいては、リモコン３を操作すると、サーバー装置２とインターフェイス４とが接続されているので、電気機器９から情報をサーバー装置２が入手する。そして、電気機器９から受け取った情報をリモコン３の表示部６に表示または音声報知部７に報知することが可能となる。
【００４９】
従って、例えば電気機器９がテレビ受像機である場合には、浴室に設置したリモコン３の表示部６に画像を表示し、入浴しながら観賞することが可能になる。もちろん、電気機器９がラジオ受信機である場合には音声報知部７から音楽を報知し、リラックスして入浴することが可能になる。
【００５０】
（実施の形態８）
図８は、本発明の第８の実施の形態における給湯器システムの構成図である。本実施の形態は、実施の形態５で説明した給湯器本体１のサーバー装置２とインターフェイス４を、リモコン３に設けた点で実施の形態５の発明と異なり、それ以外の同一構成及び作用効果を奏する部分には図５と同じ符号を付して詳細な説明を省略し、異なるところを中心に説明する。
【００５１】
図８において、給湯器本体１は、給湯のための運転機能を備えているとともに、リモコン３との間で運転停止及びその他の信号のやり取りをする送受信機能を備えている。リモコン３は、実施の形態５で説明した表示部６または音声報知部７を設けている以外に、実施の形態５で説明したサーバー装置２とインターフェイス４を設けている。
【００５２】
すなわち、サーバー装置２は、ネットワークを介して外部情報提供システム５に接続して給湯器本体１に関する情報を送信、または取り込めるようにしている以外に、住宅Ａ内に設置されている他の電気機器（例えば、テレビ受像機、ラジオ受信機等）９とも有線または無線で情報のやり取りができるように接続され、給湯器本体１の情報を電気機器９に送信して表示または報知できるようにしている。
【００５３】
リモコン３は、外部情報提供システム５に情報を送信または入手するための指示をする入力機能以外に、電気機器９に給湯器本体１の情報を送信するための指示をする入力機能も備えている。図中の実線矢印は、信号を含む情報のやり取り経路を示す。
【００５４】
以上のように構成された給湯器システムについて、以下その動作、作用を説明する。給湯器本体１において、外部情報提供システム５らの外部情報の入手は、実施の形態５の発明で説明したと同じようにして行なわれる。
【００５５】
そして、電気機器９への給湯器本体１の情報の送信おいては、リモコン３を操作すると、サーバー装置２とインターフェイス４とが接続されているので、給湯器本体１の情報をサーバー装置２が入手する。そして、サーバー装置２が給湯器本体１の情報を電気機器９に送信して表示または報知することが可能となる。
【００５６】
従って、例えば電気機器９がテレビ受像機である場合には、モニターに給湯器本体１の情報を表示、または報知する。もちろん、リモコン３に監視カメラが設けてあって浴室の状況（介護が必要な人の入浴状況）を画像として電気機器９に送信して入浴者を安全に介護することも可能になる。
【産業上の利用可能性】
【００５７】
以上のように、本発明にかかる給湯器システムは、サーバー装置を給湯器本体または給湯器を遠隔操作するリモコンに備え、外部ネットワークまたは他の家庭内機器と情報のやり取りができ、広く給湯器に適用できる。
【図面の簡単な説明】
【００５８】
【図１】本発明の実施の形態１における給湯器システムの構成図
【図２】本発明の実施の形態２における給湯器システムの構成図
【図３】本発明の実施の形態３における給湯器システムの構成図
【図４】本発明の実施の形態４における給湯器システムムの構成図
【図５】本発明の実施の形態５における給湯器システムの構成図
【図６】本発明の実施の形態６における給湯器システムの構成図
【図７】本発明の実施の形態７における給湯器システムの構成図
【図８】本発明の実施の形態８における給湯器システムの構成図
【図９】従来の給湯器システムの構成図
【符号の説明】
【００５９】
１  給湯器本体
２  サーバー装置
３  リモコン
４  インターフェイス
５  外部情報提供システム
６  表示部
７  音声報知部
８  外部情報受付システム
【図１】
2007170766.tif 000003
【図２】
2007170766.tif 000004
【図３】
2007170766.tif 000005
【図４】
2007170766.tif 000006
【図５】
2007170766.tif 000007
【図６】
2007170766.tif 000008
【図７】
2007170766.tif 000009
【図８】
2007170766.tif 000010
【図９】
2007170766.tif 000011